(57)【要約】【課題】放送波による緊急情報をローカル・エリア・ネットワーク内に中継する中継システムを提供すること。【解決手段】放送波による緊急情報の中継システムは、中継装置及び少なくとも一つの情報表示部を備えて中継装置が接続される同一のローカル・エリア・ネットワーク内に受信可能に接続している通信機器を含み、中継装置は、デジタル放送を受信する受信部と、受信したデジタル放送を復号する復号部と、復号したデジタル放送を蓄積する蓄積部と、蓄積したデジタル放送から所定の内容を含む情報を抽出する情報抽出部と、抽出した情報を、同一のローカル・エリア・ネットワーク内にブロードキャストする情報送信部とを備える。【選択図】図１
2010171896.tif 000002
【特許請求の範囲】
【請求項１】
デジタル放送で放送された情報を中継する中継システムであって、
前記中継システムは中継装置及び少なくとも一つの情報表示部を備えて前記中継装置が接続される同一のローカル・エリア・ネットワーク内に受信可能に接続している通信機器を含み、
前記中継装置は、
前記デジタル放送を受信する受信部と、
前記受信した前記デジタル放送を復号する復号部と、
前記復号した前記デジタル放送を蓄積する蓄積部と、
前記蓄積した前記デジタル放送から所定の内容を含む情報を抽出する情報抽出部と、
前記抽出した前記情報を、前記同一のローカル・エリア・ネットワーク内にブロードキャストする情報送信部と、を備えることを特徴とする
前記中継システム。
【請求項２】
さらに、前記中継装置は、前記抽出した前記情報に基づくメッセージを生成するメッセージ生成部を備え、生成した前記メッセージを前記情報送信部からブロードキャストすることを特徴とする、請求項１に記載の中継システム。
【請求項３】
前記通信機器は、前記情報送信部から送信された前記情報を前記情報表示部に表示することを特徴とする、請求項１又は請求項２に記載の中継システム。
【請求項４】
さらに、前記中継装置は、前記通信機器が前記所定の内容を含む情報を認証するための認証情報を生成する認証部を備え、生成した認証情報を前記情報送信部からブロードキャストすることを特徴とする、請求項１に記載の中継システム。
【請求項５】
さらに、前記中継装置は、前記中継装置の位置情報を取得する位置情報取得部を備えることを特徴とする、請求項１に記載の中継システム。
【請求項６】
さらに、前記中継装置は、前記抽出した前記情報と前記位置情報とに基づいて優先度を生成する優先度生成部を備え、生成した前記優先度を前記抽出した前記情報及び前記位置情報と共に前記情報送信部からブロードキャストすることを特徴とする、請求項５に記載の中継システム。
【請求項７】
デジタル放送で放送された情報を中継する中継装置であって、
前記中継装置は、少なくとも一つの情報表示部を備えて前記中継装置が接続される同一のローカル・エリア・ネットワーク内に受信可能に接続している通信機器と接続し、
前記デジタル放送を受信する受信部と、
前記受信した前記デジタル放送を復号する復号部と、
前記復号した前記デジタル放送を蓄積する蓄積部と、
前記蓄積した前記デジタル放送から所定の内容を含む情報を抽出する情報抽出部と、
前記抽出した前記情報を、前記同一のローカル・エリア・ネットワーク内にブロードキャストする情報送信部と、を備えることを特徴とする
前記中継装置。
【請求項８】
デジタル放送で放送された情報を中継させる中継プログラムであって、
前記中継プログラムは、中継装置及び少なくとも一つの情報表示部を備える通信機器が接続される同一のローカル・エリア・ネットワーク内において、
前記デジタル放送を受信する受信手段と、
前記受信した前記デジタル放送を復号する復号手段と、
前記復号した前記デジタル放送を蓄積する蓄積手段と、
前記蓄積した前記デジタル放送から所定の内容を含む情報を抽出する情報抽出手段と、
前記抽出した前記情報を、前記同一のローカル・エリア・ネットワーク内にブロードキャストする情報送信手段と、を備えるコンピュータを、前記中継装置として機能させることを特徴とする
前記中継プログラム。
【発明の詳細な説明】
【技術分野】
【０００１】
本発明は、放送波による情報を中継する中継装置及びシステムに関する。特に、Ｊａｖａ（登録商標、以下同じ）データ放送サービスを用いて緊急情報等を受信した場合に、ローカル・エリア・ネットワークに接続しているパーソナル・コンピュータ等に当該緊急情報等を中継して送信する中継装置及びシステムに関する。
【背景技術】
【０００２】
従来から、インターネット等のネットワークを介して災害情報等を中継して提供するサービスが知られている（非特許文献１）。当該サービス等によれば、地震、火山、気象、土砂及び雪氷災害による被害の軽減等を目的として、文字又は画像を含む災害現場の情報、ライブカメラを用いる災害現場の映像又は音声情報等が提供されている。ユーザは自己の端末装置等を用いて当該サービスにアクセスし、これらの情報を知ることができる。
【０００３】
また、従来、緊急警報等を受信した際に、予め設定した緊急連絡先に緊急警報等のメッセージを送信することができるデジタル放送受信機が知られている（特許文献１）。当該デジタル放送受信機によれば、受信された緊急警報信号等は当該デジタル放送受信機によりメールのフォーマット形式に変換されてサーバに送信され、サーバは当該メールを通信端末に伝送し、これによりユーザはデジタル放送受信機から離れた場所にいる場合でも、緊急警報信号等を確認できるとしている。
【０００４】
また、従来、ラジオ聴取者又はテレビ視聴者が、リアルタイムに受信される放送番組に関連する補足情報にアクセスすることを可能にするシステム等が知られている（特許文献２）。当該システム等によれば、受信機及び送信機の地域時間を、同じ世界時に従って同期させることにより、受信機及び送信機の相対的な位置によらずに、送受信される情報の流れが常に同期され、ユーザはトピックに関連するワールド・ワイド・ウェブからの付加情報にアクセスできるとしている。
【０００５】
また、従来、受信した番組を外部の記録機器を用いて予約記録を行なわせる放送受信装置が知られている（特許文献３）。この技術によれば、記録先を指定する情報を予約データに含ませることにより、受信装置と記録装置とを連携可能であるとしている。
【０００６】
さらに、近年、符号化したデータを放送波により伝送する手法を用いて、テレビ受信機等をＪａｖａ仮想マシンとして用いる技術が知られている（非特許文献２）。この技術によれば、放送局はＪａｖａ仮想マシンとしてのテレビ受信機等にメッセージ又はプログラム等を送信し、テレビ受信機等はＪａｖａアプリケーション・プログラミング・インタフェース（Ｊａｖａ  ＡＰＩ）を用いて、受信したメッセージに対する所定の処理等を実施することができる。デジタル放送を受信可能なテレビ受信機等をＪａｖａ仮想マシンとして動作させる当技術分野の技術は、参照により全体を本願明細書に取り入れるものとする。
【先行技術文献】
【特許文献】
【０００７】
【特許文献１】特開２００５−５１６０２号公報
【特許文献２】特開２００８−１１８６６７号公報
【特許文献３】特開２００８−３１０９５２号公報
【非特許文献】
【０００８】
【非特許文献１】「防災科学技術研究所」、［online］、独立行政法人防災科学技術研究所、平成１８年１２月２６日、［平成２１年１月８日検索］、インターネット、<URL:http://www.bosai.go.jp/>
【非特許文献２】（社）電波産業会、“デジタル放送におけるアプリケーション実行環境標準規格（ＡＲＩＢ  ＳＴＤ−Ｂ２３  １．１版）”、第二部“アプリケーション実行環境”、平成１６年２月５日
【発明の概要】
【発明が解決しようとする課題】
【０００９】
しかしながら、従来は、映像又は音声情報の利用においては、ＴＶやインターネットに接続されたパーソナル・コンピュータを用いた緊急警報放送情報のメッセージを映像や音声情報として受信しようとする場合、パーソナル・コンピュータ等を予め目的の情報の送信元に予め接続しておく必要があった。従って、受信端末から送信元へ予め定められた接続手順に基づいた設定がされていなければ、ユーザは緊急情報等を受信する機会を失ってしまう。また、ブロードバンド・ルータ（以下、単にルータ）等を用いてインターネットに接続する場合には、インターネット側から直接情報を送り込むことはできず、ルータの内側に接続された装置から定期的にサーバに問い合わせ情報を送信するか、又はルータに対して特定のポートを開ける等、定められたポートの設定を行う等の特別な設定を行う必要があり、これらはユーザに専門知識を要求し、パーソナル・コンピュータに高負荷を強いる場合がある。さらに、パーソナル・コンピュータやテレビ等のそれぞれを、目的のサービス提供装置に接続する必要があり、回線の帯域幅等の資源を消費していた。
【００１０】
また、従来は、サーバを中継してメールを通信端末に伝送するデジタル放送システムでは、地震発生を知らせる警報等の局地的な緊急情報を、その対象地域に設置された受信装置によって受信する。そして、サーバを中継してメールを通信端末に伝送することにより、伝送先の通信端末が当該対象地域以外に移動している状況であっても、ユーザは情報配信対象となる受信装置から地震情報等の発生を知ることができる。しかしながら、この場合、情報の伝達という役割はあるものの、情報の対象地域とユーザの居所との関連性は特に考慮されず、また通信端末と共に居所が移動するユーザに何らかの行動を喚起することは特に考慮されていなかった。また、インターネットを介して情報を伝達する手法においては、インターネットのトラフィック増加の影響を受けて情報伝達が停滞する場合も考えられる。従って、災害情報の提供元又は情報の対象地域の通信回線へのアクセスが集中するような場合には迅速な情報伝達がされにくいという問題があった。
【００１１】
また、リアルタイムに受信される放送番組に関連する補足情報にアクセスするシステム等においては、世界時刻を用いて放送番組と補足情報とを関連づけるものであり、必ずしもユーザの居所又は受信装置の設置場所に基づいてはいないため、当該居所又は設置場所における緊急情報に対応するとは限らなかった。
【００１２】
さらに、従来技術に係る、外部機器と連携可能な放送受信装置等においては、予めユーザが指定した予約データに基づく動作開始には、番組表に含まれない情報又は放送開始の直前までキーワードが提示されない情報等の、ユーザが想定していない特定の情報の受信に応答して外部機器が所定の動作を開始することは含まれなかった。
【００１３】
本発明は、緊急情報を提供するサービス等をユーザが予め定められた接続手順に基づいて設定する必要なく、放送波による情報をパーソナル・コンピュータ等へ自動的に中継する中継装置を含む中継システムを提供することを目的とする。また、本発明は、ユーザの専門知識を必要とせず、中継先のパーソナル・コンピュータ等の高負荷を避けて、当該情報を中継する中継システムを提供することを目的とする。
また、本発明は、インターネットのトラフィックの影響を避け、サーバ装置を中継せずに、ユーザに対して緊急情報等を伝達しうる中継システムを提供することを目的とする。
また、本発明は、ユーザの居所又は受信装置の設置場所における緊急情報に応答して、当該緊急情報又はこれに基づくメッセージを一斉送信しうる中継装置を含む中継システムを提供することを目的とする。
さらに、本発明は、ユーザが想定していない緊急情報等に応答して、当該情報を中継する中継システムを提供することを目的とする。
【課題を解決するための手段】
【００１４】
本発明においては次のような手段を提供する。
【００１５】
本発明の第１の態様によると、デジタル放送で放送された情報を中継する中継システムであって、中継システムは中継装置及び少なくとも一つの情報表示部を備えて中継装置が接続される同一のローカル・エリア・ネットワーク内に受信可能に接続している通信機器を含み、中継装置は、デジタル放送を受信する受信部と、受信したデジタル放送を復号する復号部と、復号したデジタル放送を蓄積する蓄積部と、蓄積したデジタル放送から所定の内容を含む情報を抽出する情報抽出部と、抽出した情報を、同一のローカル・エリア・ネットワーク内にブロードキャストする情報送信部と、を備えることを特徴とする中継システムが提供される。
【００１６】
好適には、本発明に係る中継システムに含まれる中継装置は、当技術分野に公知のＪａｖａ  ＡＰＩを用いることが可能なＪａｖａ仮想マシンである。このような中継装置は、放送局からのデジタル放送をＪａｖａデータ放送として受け取ることが可能である。従って、放送局は、Ｊａｖａ仮想マシンとしての当該中継装置に対して、画面表示させるための文字列又は所定の処理を実行させるためのプログラム等を、それぞれ所定の仕様に従って送信することができる。本発明に係る中継装置は、所定のＡＰＩを用いて文字列の抽出等の処理を実施することができる。典型的には、本発明に係る中継装置を含むＪａｖａデータ放送の受信機等は、適宜記憶媒体等を用いて、経時的に放送により送られるデータを蓄積し、蓄積したデータから所定の情報又はプログラムを取り出して動作する。
【００１７】
一実施形態において、本発明に係る中継システムは、放送により受信した情報を中継して一斉送信する中継装置、一斉送信された情報を受信する端末装置としての通信機器、及びこれらの装置を接続するためのローカル・エリア・ネットワークを含みうる。
【００１８】
本発明に係る中継システムに含まれる中継装置が情報を送信する形式であるブロードキャストは、当技術分野に公知であり、ネットワーク内において不特定多数の通信機器に向かって情報を送信することを指す。すなわち、本発明に係る中継システムにおいては、中継装置は情報を受信する通信機器を予め特定することなく、抽出した情報をローカル・エリア・ネットワーク内に一斉送信する。また、当該抽出された情報を受信する通信機器は当該ローカル・エリア・ネットワーク内の同一のルータ等に接続されていればよく、接続の形態は有線でも無線でもよい。本発明に係る中継システムにおいては、中継された緊急情報等は外部のインターネットやサーバ装置等を介することなく、ローカル・エリア・ネットワーク内に送信されるので、インターネットのトラフィックの影響を避けて、緊急情報等を迅速に中継することが可能になる。
【００１９】
また、本発明に係る中継システムに含まれる中継装置をディスプレイ装置等と組み合わせ、情報抽出部により抽出した情報をディスプレイ装置の表示領域内に表示してもよい。当該表示の形態は、テレビ放送の画面とのオーバーレイでもよく、ディスプレイ装置の表示領域内に適宜分割された領域への表示でもよい。
【００２０】
また、本発明に係る中継システムに含まれる通信機器が備える、少なくとも一つの情報表示部は、文字を表示するものでもよく、画像を表示するものでもよい。あるいは、当該情報表示部は、単に所定の情報を当該通信機器が受信していることを表すものでもよい。例えば、当該通信機器は、自然災害等の緊急情報を受信した場合に点灯する点灯手段を備えて、緊急情報を受信していることを伝達するための情報表示部として扱ってもよい。
【００２１】
本発明に係る中継システムに含まれる中継装置の情報抽出部が抽出する所定の情報は、災害情報等の緊急情報を含むが、これに限定しない。所定の情報は、予め定義することが可能である。例えば、中継装置の情報抽出部は、復号したデジタル放送が、予め定められた語句を含むことに応答して当該語句を抽出してもよい。また例えば、情報抽出部は、復号したデジタル放送が、ユーザに対して表示されないメタ情報又はコード番号等の形態で、予め定められた情報を含むことに応答して、当該情報を抽出してもよい。このように抽出される所定の情報には、当該所定の情報の全体又は一部を認証するための認証情報、当該所定の情報の優先度の高さを表す情報、当該所定の情報の更新履歴等の属性情報、当該所定の情報の有効期限を表す情報、当該所定の情報と関連付けられるコンピュータ・プログラム又は実行ライブラリの情報等を任意に含んでもよい。
【００２２】
本発明に係る中継システムに含まれる中継装置の蓄積部は、単独の記憶媒体等でもよく、放送以外のコンピュータ・プログラム等を記憶するための記憶媒体等と兼用するものでもよく、適宜設計しうる。
【００２３】
本発明に係る中継システムに含まれる中継装置の情報送信部は、前述の情報抽出部により抽出された所定の情報を、ローカル・エリア・ネットワーク内にブロードキャストする。ブロードキャストされた情報は、同一のブロードバンド・ルータ等に接続された他の端末装置等において受信されうる。
【００２４】
このようにすることで、本発明に係る中継システムにおいては、中継装置が所定の情報を受信することに応答して、当該所定の情報及びこれに関連する情報が同一のローカル・エリア・ネットワーク内に接続している通信機器等に対して、ブロードキャストの形態で一斉送信される。所定の情報が、認証情報、優先度、関連するコンピュータ・プログラム等の情報を含む場合にも、これらは所定の情報の一部として、本発明に係る中継装置によりローカル・エリア・ネットワーク内でブロードキャストされ、中継される。従って、通信機器等は、予め中継装置から特定される必要はなく、中継装置により中継された所定の情報を受け取ることが可能になる。
【００２５】
また、中継装置は放送局等が送信した認証情報又は優先度等の情報をそのまま通信機器等に中継し、通信機器等はこれらの情報を用いて認証作業及び優先度の判定を実施することが可能である。従って、本発明に係る中継システムにおいては、ローカル・エリア・ネットワーク内において接続される機器の間での相互の認証を必要としないので、ユーザはネットワーク設定等の専門知識を必要とせずに、本発明に係る中継システムを利用することが可能である。
【００２６】
さらに、本発明に係る中継システムにおいて、中継装置は、抽出した情報に基づくメッセージを生成するメッセージ生成部を備え、生成したメッセージを情報送信部からブロードキャストする
【００２７】
本発明に係る中継装置のメッセージ生成部は、情報抽出部が抽出した情報に基づいてメッセージを生成する。ここで、メッセージの生成は予め定められたメッセージの選択を含む。メッセージの生成部には、適宜テンプレートを用いてもよい。例えば、所定の情報に含まれる語句又は文字列に、適宜可読性を有する語句等を追加してメッセージを生成してもよい。
【００２８】
さらに、本発明に係る中継システムにおいて、通信機器は、情報送信部から送信された情報を情報表示部に表示する。
【００２９】
本発明に係る中継システムの通信機器は、中継装置により中継された情報を受信して表示する端末装置として動作しうる。復号されたデジタル放送に含まれる認証情報を用いることにより、通信機器は中継装置の情報送信部から送信された情報が正当であることを認証することが可能である。従って、中継装置以外の何らかの経路を介してローカル・エリア・ネットワーク内に到達した誤報等は、通信機器の情報表示部に表示されないようにしてもよい。
【００３０】
また、本発明に係る中継システムにおいて、中継装置からブロードキャストされる情報は、復号したデジタル放送に含まれうる優先度又は中継装置が生成した優先度を含む場合がある。認証情報及び優先度が通信機器に用いられる形態については、本発明に係る実施形態において説明する。
【００３１】
通信機器は、中継装置からブロードキャスト送信される情報を受信可能であればよく、本発明に係る中継システムのユーザは、通信機器から中継装置を指定する手順を必要とせず、かつ中継装置から個々の通信機器を指定する手順を必要とせずに、認証情報と共に本発明に係る中継システムを利用できる。
【００３２】
さらに、本発明に係る中継システムにおいて、通信機器が所定の内容を含む情報を認証するための認証情報を生成する認証部を備え、生成した認証情報を情報送信部からブロードキャストする。
【００３３】
本発明に係る中継システムに含まれる中継装置は、認証部を備えて、通信機器が所定の内容を含む情報を認証するための認証情報を生成してもよい。従って、本発明に係る中継システムにおいては、中継装置と通信機器との間の認証を用いて、より安全に情報を伝達することも可能である。
【００３４】
このようにすることで、中継された情報を受信する通信機器は、放送波に認証情報が含まれなかった場合であっても、中継された情報が正当な情報であることを認証しうる。例えば、電波の受信が不安定な状況等において、認証情報が含まれる放送の一部を受信困難な場合が発生しても、中継装置がこのような状況を補って認証情報を生成しうる。
なお、復号したデジタル放送に所定の認証情報が含まれる場合は、中継装置は当該認証情報をそのまま通信機器に中継することができる。
【００３５】
本発明に係る中継システムに用いる認証情報は、当技術分野に公知の認証技術を適宜用いてよい。具体的には、放送局から中継装置を経由して通信機器に到達する、一方向の情報通信を認証可能な手法から適宜選択して、本発明に係る中継システムにおける認証情報として用いることが可能である。
【００３６】
さらに、本発明に係る中継システムにおいて、中継装置は、中継装置の位置情報を取得する位置情報取得部を備える。
【００３７】
本発明に係る中継装置の位置情報は、具体的には地図上の位置情報でありうる。本発明に係る中継システムに含まれる中継装置は、位置情報取得部により取得した中継装置の位置情報により、中継装置が設置されている地図上の場所を表す位置情報を利用することが可能になる。本発明に係る中継装置は、当該位置情報等を記憶するために、適宜、記憶媒体を備えてもよい。
【００３８】
さらに、本発明に係る中継システムにおいて、中継装置は、抽出した情報と位置情報とに基づいて優先度を生成する優先度生成部を備え、生成した優先度を抽出した情報及び位置情報と共に情報送信部からブロードキャストする。
【００３９】
本発明に係る中継システムに含まれる通信機器が生成する優先度は、復号した放送から抽出された情報と中継装置の位置情報とに基づいて生成されうる。なお、復号したデジタル放送に所定の優先度を表す情報が含まれる場合は、中継装置は当該所定の優先度を表す情報をそのまま通信機器に中継してもよい。
【００４０】
一実施形態において、抽出された情報が地震の発生に関する情報であり、当該情報が震源地の推定場所及び地震の規模に関する情報を含む場合に、本発明に係る中継装置は、中継装置の位置情報が当該地震の影響のおそれがある場所であれば、高い優先度を生成しうる。逆に、中継装置の位置情報が当該地震の影響のおそれがないか又は影響が小さいと考えられる場所である場合は、低い優先度を生成しうる。このように生成された優先度は、緊急情報等と共に通信機器に対して送信されうる。抽出された緊急情報と中継装置の位置情報とに基づく優先度の生成には、地図上の両者の直線距離を用いてもよく、両者の間に公共交通機関の路線等が存在することの情報を用いてもよく、適宜設計しうる。
【００４１】
このようにすることで、本発明に係る中継装置は、復号したデジタル放送に含まれていない優先度の情報を、中継装置の位置情報を用いて生成することが可能である。従って、例えば衛星放送等の広域放送により放送局から緊急情報が送信された場合においても、本発明に係る中継システムにおいては、中継装置の位置情報を用いて、当該位置情報が表す地図上の場所における当該緊急情報の優先度を生成することが可能である。
【００４２】
また、本発明の第２の態様によると、デジタル放送で放送された情報を中継する中継装置であって、中継装置は、少なくとも一つの情報表示部を備えて中継装置が接続される同一のローカル・エリア・ネットワーク内に受信可能に接続している通信機器と接続し、デジタル放送を受信する受信部と、受信したデジタル放送を復号する復号部と、復号したデジタル放送を蓄積する蓄積部と、蓄積したデジタル放送から所定の内容を含む情報を抽出する情報抽出部と、抽出した情報を、同一のローカル・エリア・ネットワーク内にブロードキャストする情報送信部と、を備えることを特徴とする中継装置が提供される。
【００４３】
本発明に係る中継装置は、上述の構成要素を備える単体の製品の形態で提供されてもよく、パーソナル・コンピュータ等が備える適切なインタフェースを介して着脱可能な形態で提供されてもよく、テレビ受信機等の他の装置に組み込まれて提供されてもよい。映像音声出力部は適切なインタフェース部を備えてもよく、一体化していてもよい。
【００４４】
また、本発明の第３の態様によると、デジタル放送で放送された情報を中継させる中継プログラムであって、中継プログラムは、中継装置及び少なくとも一つの情報表示部を備える通信機器が接続される同一のローカル・エリア・ネットワーク内において、デジタル放送を受信する受信手段と、受信したデジタル放送を復号する復号手段と、復号したデジタル放送を蓄積する蓄積手段と、蓄積したデジタル放送から所定の内容を含む情報を抽出する情報抽出手段と、抽出した情報を、同一のローカル・エリア・ネットワーク内にブロードキャストする情報送信手段と、を備えるコンピュータを、中継装置として機能させることを特徴とする中継プログラムが提供される。
【００４５】
本発明に係る中継プログラムは、メモリカード、読み出し専用メモリ（ＲＯＭ）等の任意のコンピュータ可読媒体の形態で提供されうる。例えば、テレビ受信機にマイクロプロセッサ及び記憶媒体を備えて、本発明に係る中継プログラムを実行させてもよい。また、本発明に係る中継プログラムは、放送の形態で受信され、中継装置の復号部により復号され、情報抽出部により抽出されてもよい。本発明に係る中継プログラムは、単独で実行可能なバイナリ形式、適切なライブラリを併用するバイナリ・コード、又はスクリプト言語のソースコード等、当技術分野に公知の任意の形態で提供されうる。また、本発明に係る中継プログラムは、デジタルテレビ放送等の受信プログラム、電子メール送信プログラム、予約録画プログラム等の、既存の技術と組み合わせることができ、そのように組み合わせた技術もまた、本発明の技術範囲に含まれる。さらに、本発明の技法は、情報又はメッセージを中継するための諸段階を、ＦＰＧＡ（現場でプログラム可能なゲートアレイ）、ＡＳＩＣ（特定用途向け集積回路）、これらと同等のハードウェアロジック素子、プログラム可能な集積回路、又はこれらの組み合わせが記憶し得るプログラムの形態、すなわちプログラム製品として提供することができる。具体的には、データ入出力、データバス、メモリバス、システムバス等を備えるカスタムＬＳＩ（大規模集積回路）の形態として、本発明に係る中継システムのための中継プログラムを提供でき、そのように集積回路に記憶されたプログラム製品の形態も、本発明の技術範囲に含まれる。
【発明の効果】
【００４６】
上述のように構成することにより、本発明に係る中継システムにおいては、緊急情報を提供するサービス等をユーザが予め定められた接続手順に基づいて設定する必要なく、放送波による情報をパーソナル・コンピュータ等へ自動的に中継する中継装置を含む中継システムを提供することが可能となる。また、本発明においては、ユーザの専門知識を必要とせず、中継先のパーソナル・コンピュータ等の高負荷を避けて、当該情報を中継する中継システムを提供することが可能となる。
また、本発明は、サーバ装置を中継せずに、ローカル・エリア・ネットワーク内に接続した通信機器等に緊急情報又はこれに基づくメッセージを一斉送信することにより、当該ローカル・エリア・ネットワークを利用可能なユーザに対して緊急情報等を伝達しうる中継システムを提供することが可能となる。また、本発明は、ローカル・エリア・ネットワーク内で緊急情報等を一斉送信することにより、インターネットのトラフィックの影響を受けずに、通信機器等に当該緊急情報等を即時的に中継することが可能となる。
また、本発明は、ユーザの居所又は受信装置の設置場所における緊急情報に応答して、当該緊急情報又はこれに基づくメッセージを一斉送信しうる中継装置を含む中継システムを提供することが可能となる。
さらに、本発明は、ユーザが想定していない緊急情報等に応答して、当該情報を中継する中継システムを提供することが可能となる。
【図面の簡単な説明】
【００４７】
【図１】本発明の一実施形態に係る、中継システム１００の例を示す図である。
【図２】本発明の一実施形態に係る、中継装置１０の構成を示す図である。
【図３】本発明の一実施形態に係る、中継システム１０１の例を示す図である。
【図４】本発明の一実施形態に係る、中継装置１１の構成を示す図である
【図５】本発明の一実施形態に係る、中継装置１０又は中継装置１１の動作を表すフロー図である。
【図６】本発明の一実施形態に係る、中継装置１０又は中継装置１１の動作を表すフロー図の別の例である。
【図７】本発明の一実施形態に係る、中継装置１０を内蔵するテレビ受信機を用いて、中継システム１００を構成する例を示す図である。
【図８】本発明の一実施形態に係る、中継装置１０を内蔵するテレビ受信機を用いて、中継システム１００を構成する、別の例を示す図である。
【図９】本発明の一実施形態に係る、中継装置１１を内蔵するテレビ受信機を用いて、中継システム１０１を構成する例を示す図である。
【図１０】本発明の一実施形態に係る、中継装置１０を内蔵するテレビ受信機を用いて構成される中継システム１００が、放送波による情報を中継する例を示す図である。
【図１１】本発明の一実施形態に係る、中継装置１０を内蔵するテレビ受信機を用いて構成される中継システム１００が、放送波による情報を中継する別の例を示す図である。
【図１２】発明の一実施形態に係る中継システム１００が、認証情報を伴う緊急情報を含む放送波を受信して中継する例を示す図である。
【図１３】本発明の一実施形態に係る中継システム１００が、認証情報及び優先度を伴う緊急情報を含む放送波を受信して中継する例を示す図である。
【図１４】本発明の一実施形態に係る、中継装置１０を内蔵するテレビ受信機を用いて構成される中継システム１００が、位置情報を伴って放送波による情報を中継する例を示す図である。
【図１５】本発明の一実施形態に係る、中継装置１０を内蔵するテレビ受信機を用いて構成される中継システム１００が、位置情報及び優先度を伴って放送波による情報を中継する例を示す図である。
【図１６】本発明の一実施形態に係る、中継装置１０を内蔵するテレビ受信機を用いて構成される中継システム１００が、位置情報及び優先度を伴って放送波による情報を中継するさらなる例を示す図である。
【発明を実施するための形態】
【００４８】
以下、本発明の実施形態について図を参照しながら説明する。なお、これらはあくまでも一例であって、本発明の技術的範囲はこれらに限られるものではない。
【００４９】
［中継システム１００の構成］
図１は、本発明の一実施形態に係る、中継システム１００の例を示す図である。
【００５０】
図１の例においては、中継システム１００は、中継装置１０、ＰＣ（パーソナル・コンピュータ）６０−１及びＰＣ６０−２を備え、これらは同一のブロードバンド・ルータ５０にネットワーク接続されてホーム・ネットワーク４０を構成している。ブロードバンド・ルータ５０は適宜インターネット等の広域ネットワーク３０にネットワーク接続してもよい。中継装置１０はアンテナ２９により受信した放送塔２５からのデジタル放送２８を受信する。デジタル放送２８の送信手段は放送塔２５に限らず、放送衛星等でもよい。
【００５１】
好適には、デジタル放送２８は放送波によるデジタルテレビ放送であるが、これに限らず、デジタルラジオ放送、データ放送等でもよい。
【００５２】
好適には、本発明に係る中継システム１００に含まれる中継装置１０は、当技術分野に公知のＪａｖａ  ＡＰＩを用いることが可能なＪａｖａ仮想マシンである。すなわち、中継装置１０は、放送局からのデジタル放送をＪａｖａデータ放送として受け取ることが可能である。従って、放送局は、Ｊａｖａ仮想マシンとしての当該中継装置に対して、画面表示させるための文字列又は所定の処理を実行させるためのプログラム等を、それぞれ所定の仕様に従って送信することができる。本発明に係る中継装置１０は、所定のＡＰＩを用いて文字列の抽出等の処理を実施することができる。典型的には、本発明に係る中継装置１０は、適宜記憶媒体等を用いて、経時的に放送により送られるデータを蓄積し、蓄積したデータから所定の情報又はプログラムを取り出して動作することが可能である。
【００５３】
ホーム・ネットワーク４０は一般的なローカル・エリア・ネットワークでもよい。中継装置１０以外のネットワーク端末は、これらに限らず任意の端末装置等をブロードバンド・ルータ５０に接続して用いてもよい。例えば、文字を表示可能な表示部を有してネットワーク端末として機能しうる冷蔵庫、ファクシミリ、家電製品等をネットワーク端末としてブロードバンド・ルータ５０に接続してもよい。ネットワーク接続の態様は有線接続でも無線接続でもよく、後述する電力線ネットワーク接続でもよい。端末装置としては、当技術分野に公知のローカル・エリア・ネットワーク接続が可能な電子機器を任意にネットワーク端末として用いることが可能である。
【００５４】
ブロードバンド・ルータ５０は、中継装置１０、ＰＣ６０−１及びＰＣ６０−２からなるホーム・ネットワーク４０内部の端末装置等を相互にネットワーク通信が可能となるように接続しうる。さらに、ブロードバンド・ルータ５０は、端末装置からの送信要求の情報等を、インターネット等の広域ネットワーク３０に接続されたサーバ装置等（図示せず）に転送することが可能である。これと逆に、ブロードバンド・ルータ５０は、広域ネットワーク３０からホーム・ネットワーク４０内部の端末装置等への直接のアクセスを遮断しうる。さらに、ブロードバンド・ルータ５０は、ホーム・ネットワーク４０内部においてブロードキャスト送信の形態で送信された情報を、同一のブロードバンド・ルータ５０に接続されたホーム・ネットワーク４０内部の端末装置等に一斉送信しうる。
【００５５】
図１の例において、中継装置１０は、アンテナ２９により受信した放送塔２５からのデジタル放送２８を受信する一方、受信したデジタル放送２８に含まれる所定の情報を、同一のブロードバンド・ルータ５０に接続しているＰＣ６０−１及びＰＣ６０−２に送信しうる。具体的には、中継装置１０はブロードキャスト送信の形態で所定の情報等を送信しうる。同一のブロードバンド・ルータ５０に接続しているＰＣ６０−１及びＰＣ６０−２は、いずれもブロードキャスト送信された情報を受信可能な状態であれば、中継装置１０が送信した所定の情報を受信することができる。
【００５６】
なお、図１に示す中継装置１０は、単体の製品の形態で提供されてもよく、パーソナル・コンピュータ等が備える適切なインタフェースを介して着脱可能なコンピュータ部品又は周辺機器の形態で提供されてもよく、テレビ受信機等の他の装置に組み込まれて提供されてもよい。
【００５７】
図１の例に示すＰＣ６０−１及びＰＣ６０−２は、本発明に係る中継装置１０がブロードキャストした情報に応答してそれぞれの画面に情報又はメッセージ等を表示するための常駐型のコンピュータ・プログラム等を実行してもよい。例えば、このようなコンピュータ・プログラムは、それぞれのコンピュータごとにオペレーティング・システムが起動する際に自動的にメモリに読み込まれてもよく、ブラウザ等の他のアプリケーションの一部として連動するものでもよい。当該コンピュータ・プログラムは、単独で実行可能なバイナリ形式、適切なライブラリを併用するバイナリ・コード、又はスクリプト言語のソースコード等、当技術分野に公知の任意の形態で提供されうる。
【００５８】
［中継装置１０の構成］
図２は、本発明の一実施形態に係る、中継装置１０の構成を示す図である。一実施形態において、中継装置１０は、アンテナ２９を介して信号を受信する受信部１２、受信した信号から放送を復号する復号部１３、復号された放送から所定の情報を抽出する情報抽出部１４、他の端末装置等に情報を送信する情報送信部１９、ホーム・ネットワーク４０と接続するためのネットワークＩ／Ｆ（インタフェース）２０、画像表示手段及び音声出力手段（図示せず）に画像及び音声の信号又は情報を出力するための画像音声Ｉ／Ｆ２１、及びこれらの各構成要素のそれぞれの動作を制御するための制御部２４、及び記憶部２２を備える。さらに、中継装置１０は、抽出された所定の情報に基づいてメッセージを生成するメッセージ生成部１５、中継装置１０の地図上の位置情報を取得する位置情報取得部１６、抽出された所定の情報に対して優先度を生成する優先度生成部１７、他の端末装置等が中継装置１０を認証するための認証情報を生成する認証部１８を備えてもよい。
【００５９】
受信部１２及び復号部１３としては、公知のデジタルテレビ受信機等が備える受信回路及び復号回路（集積回路素子の一部を含む）等の構成要素を用いうる。記憶部２２は、復号部１３により復号されたデジタル放送を蓄積するために用いうるが、これに限らず、情報又は制御部の動作のためのプログラム又は任意の情報を記憶するために用いてもよい。例えば、記憶部２２は、中継装置１０がＪａｖａ仮想マシンとして動作するためのプログラム又はＡＰＩ等を記憶するために用いられてもよい。
【００６０】
情報抽出部１４が抽出しうる所定の情報は、デジタル放送２８に含むことが可能な任意の情報に含まれる。例えば、デジタル放送２８に含まれるデータ放送の一部として受信した情報から、所定の情報を抽出してもよい。情報抽出部１４における抽出すべき所定の情報に該当するかどうかの判定は、予め定められた文字列等との一致又は不一致の判定でもよく、受信した情報に関連付けられた識別子等による判定でもよい。例えば、放送局等は緊急情報であることを表す識別子をデータ放送の一部として送信し、本発明に係る中継装置１０の情報抽出部１４は、復号された放送から、当該識別子と関連付けられた情報を、所定の情報として抽出してもよい。なお、このような識別子自体をデータ放送の一部に含まれる情報として扱ってもよい。
【００６１】
メッセージ生成部１５は、情報抽出部１４が抽出した所定の情報に基づいてメッセージを生成する。ここで、メッセージの生成は予め定められたメッセージの選択を含む。
一実施形態において、メッセージ生成部１５は、情報抽出部１４が抽出した所定の情報に基づいて、適宜テンプレートを用いてメッセージを生成する。例えば、当該所定の情報が災害の発生を意味する文字列である「災害発生」を含む場合に、メッセージ生成部１５は当該文字列を含む「災害が発生しました」等の可読性を有するメッセージを生成してもよい。又は、メッセージ生成部１５は、当該メッセージを取り入れることが可能な、タイムスタンプ等の他の情報のためのフィールドを任意に含むテンプレートを用いて、「○○月○○日午前○○時、災害が発生しました」等のメッセージを合成してもよい。
別の実施形態において、情報抽出部１４がデータ放送から災害の発生を表すコード番号等の所定の識別子を抽出した場合に、メッセージ生成部１５は、当該所定の識別子に基づいて「災害が発生しました」等の可読性を有するメッセージを生成してもよい。
さらに別の実施形態において、メッセージ生成部１５は、情報抽出部１４がデータ放送から「災害が発生しました」という文字列を抽出した場合に、当該文字列をメッセージとしてもよい。
【００６２】
位置情報取得部１６は、中継装置１０の制御部２４が利用可能な地図上の位置情報を取得する。例えば、中継装置１０のユーザは、適宜テンキーを備えるリモート・コントローラ（図示せず）等を用いて、中継装置１０が設置される地図上の位置に関連付けられた郵便番号を入力してもよい。位置情報取得部１６は、当該郵便番号として入力された情報を取得する。中継装置１０の制御部２４は当該郵便番号に関連付けられた地図上の位置を、中継装置１０の位置情報として利用することができる。取得された位置情報は記憶部２２に記憶されてもよい。あるいは、磁気媒体又は不揮発性メモリ（図示せず）等を記憶部２２として用いて中継装置１０の位置情報を記憶させ、位置情報取得部１６を介して制御部２４が当該位置情報を利用してもよい。
【００６３】
優先度生成部１７は、情報抽出部１４が抽出した所定の情報に対して、優先度を生成する。
一実施形態において、優先度生成部１７は、情報抽出部１４が抽出した所定の情報が優先度を表す情報又は識別子を含む場合に、当該情報又は識別子を優先度として用いる。
別の実施形態において、優先度生成部１７は、情報抽出部１４が抽出した所定の情報に含まれる地図上の位置情報と、位置情報取得部１６が取得した中継装置１０の地図上の位置情報とが、所定の距離の範囲に含まれることに基づいて、優先度を生成する。例えば、当該所定の情報が自然災害及び発生場所の情報であり、中継装置１０の位置情報が当該自然災害の影響が及ぶおそれのある場所に含まれる場合に、優先度生成部１７は当該所定の情報がユーザに対して重要な情報でありうることを表す優先度を生成してもよい。これとは逆に、中継装置１０の位置情報が当該影響のおそれがない場所に含まれる場合は、優先度生成部１７は、当該所定の情報の重要さが低いことを表す優先度を生成してもよい。
位置情報に基づく優先度の生成においては、上述のような発生場所からの所定の距離の範囲に限らず、放送局から指定された地図上の位置情報が用いられてもよい。例えば、放送局等は、自然災害等の影響のおそれが想定される場所の情報を含む緊急警報を放送し、優先度生成部１７は当該緊急警報に対する優先度を生成してもよい。
【００６４】
認証部１８は、復号部１３が復号したデジタル放送に所定の内容を含む情報を認証するための認証情報の存在に関わらず、中継装置１０と、同一のブロードバンド・ルータ５０に接続しているＰＣ６０−１及びＰＣ６０−２等の端末装置との間で、情報通信のための認証情報を生成することが可能である。すなわち、中継装置１０は、端末装置との間の認証のための機構を備えて、より安全に情報を伝達してもよい。具体的には、認証部１８は、ＰＣ６０−１及びＰＣ６０−２等の端末装置が受信する情報が、中継装置１０がブロードキャストしたものであることを認証するための認証情報を生成しうる。認証の形態は、ブロードバンド・ルータ５０を含めて中継装置１０からＰＣ６０−１及びＰＣ６０−２等の端末装置への情報通信を認証しうるものであれば何でもよい。一般的には、当該認証の形態は、中継装置１０から不特定の端末装置への情報通信を認証しうる公知の技法を任意に用いうる。
例えば、認証部１８は、識別情報を含む認証情報を生成してもよい。ＰＣ６０−１及びＰＣ６０−２等の端末装置はこの認証情報を受信し、当該認証情報を含む情報のみを中継装置１０に由来する情報として扱ってもよい。当該固有の識別情報は中継装置１０の個体を識別する情報でもよく、ブロードバンド・ルータ５０の個体を識別する情報でもよく、これらを任意に組み合わせてもよい。このように認証部１８が動作することにより、ブロードバンド・ルータ５０を介して誤報又は偽情報等がＰＣ６０−１及びＰＣ６０−２等の端末装置に到達する状況においても、ＰＣ６０−１及びＰＣ６０−２等の端末装置は中継装置１０に由来する情報のみを扱うことが可能になる。
【００６５】
情報送信部１９は、上述の情報抽出部１４が抽出した情報、メッセージ生成部１５が生成したメッセージ、優先度生成部１７が生成した優先度、及び認証部１８が生成した認証情報を、適宜、組み合わせて送信する。この組み合わせに対して、それぞれの情報を区別するための識別子、フィールド又はセパレータ等が追加されてもよい。
【００６６】
ネットワークＩ／Ｆ２０は、中継装置１０とブロードバンド・ルータ５０とをネットワーク接続し、情報送信部１９からブロードバンド・ルータ５０に情報をブロードキャストの形態で送信するために用いられる。画像音声Ｉ／Ｆ２１は、復号部１３により復号された放送に含まれる画像及び音声の信号又は情報を出力するために用いられる。これらのネットワークＩ／Ｆ２０及び画像音声Ｉ／Ｆ２１としては、公知のデジタルテレビ受信機等が備えるインタフェースを任意に用いうる。画像音声Ｉ／Ｆ２１は映像又は音声を出力するための回路部品等を備えてもよく、当該回路部品と一体化していてもよい。
なお、制御部２４は、情報送信部１９が送信する情報をネットワークＩ／Ｆ２０のみから出力してもよく、その一部又は全体をデータ放送のコンテンツとして画像音声Ｉ／Ｆ２１から出力してもよい。
【００６７】
制御部２４は、上述の受信部１２、復号部１３、情報抽出部１４、メッセージ生成部１５、位置情報取得部１６、優先度生成部１７、認証部１８、情報送信部１９、ネットワークＩ／Ｆ２０、画像音声Ｉ／Ｆ２１、及び記憶部２２のそれぞれの動作を制御する。具体的な制御の態様については、フロー図を用いて後述する。制御部２４は、例えば、テレビ受信機にマイクロプロセッサ及び記憶媒体を備えて、本発明に係る中継プログラムを実行させるもの等でもよい。
【００６８】
このように構成することにより、本発明に係る中継システム１００においては、中継装置１０はホーム・ネットワーク４０に接続され、デジタル放送２８に含まれる所定の情報に応答して、当該情報又はこれと関連付けられるメッセージを、中継装置１０の位置情報及び認証情報と共に、同一のホーム・ネットワーク４０に接続された他の端末装置に一斉送信することが可能である。
【００６９】
中継装置１０以外の端末装置は、ホーム・ネットワーク４０にネットワーク接続され、ブロードキャストされた情報を受信できればよく、予め送信先として指定される必要はない。さらに、中継装置１０以外の端末装置は、予め定められた接続手順に基づいた設定による緊急情報等の送信元への接続を必要としない。従って、本発明に係る中継システム１００のユーザは、ネットワーク設定等の専門知識を必要とせず、端末装置から緊急情報等の送信元への接続手順を必要とせずに、中継システム１００を利用することができる。
【００７０】
［中継システム１０１の構成］
図３は、本発明の一実施形態に係る、中継システム１０１の例を示す図である。図１と共通する箇所は説明を省略する。
【００７１】
図３の例において、中継システム１０１に含まれる中継装置１１は、ホーム・ネットワーク４０の内部においてブロードバンド・ルータ５０に接続される。中継装置は、インターネット等の広域ネットワーク３０を介して放送局２６が提供するデジタル放送２７を受信するために、ブラウザ又はストリーム受信ソフトウェア（図示せず）等を用いて、所望の番組に係る送信要求を放送局２６に送信する。放送局２６は、当該送信要求に応答して、デジタル放送２７として当該所望の番組を中継装置１１に送信する。
【００７２】
典型的には、デジタル放送２７は広域ネットワーク３０等のコンピュータ・ネットワークを介するストリーム形式のデジタルテレビ放送であるが、これに限らず、音楽配信、デジタルラジオ放送等でもよい。
【００７３】
図３の例においては、デジタル放送２７の受信形態が電波ではなく広域ネットワーク３０を用いることが異なるが、図１の例と同様に、中継装置１１は、ホーム・ネットワーク４０の内部に接続しているＰＣ６０−１及びＰＣ６０−２等の端末装置に、ブロードキャストの形式で所定の情報を一斉送信することができる。すなわち、デジタル放送２７の受信形態以外については、中継装置１１は図１に示した中継装置１０と同様の動作をすることが可能である。
【００７４】
［中継装置１１の構成］
図４は、本発明の一実施形態に係る、中継装置１１の構成を示す図である。図２と共通する箇所は説明を省略する。図４に示す中継装置１１においては、インターネット等の広域ネットワーク３０を介してデジタル放送２７を受信することが、図２に示した中継装置１０とは異なっている。すなわち、デジタル放送２７はネットワークＩ／Ｆ２０から受信部１２に送られる。受信された信号に係る処理は、図２に示した中継装置１０と同様である。
【００７５】
このように構成することにより、中継装置１１は、ブロードバンド・ルータ５０を介して広域ネットワーク３０からデジタル放送２７を受信し、緊急情報等が抽出された場合に、ホーム・ネットワーク４０内の他の端末装置等に情報又はメッセージを送信することが可能になる。
【００７６】
［中継装置の動作のフロー図］
図５は、本発明の一実施形態に係る、中継装置１０又は中継装置１１の動作を表すフロー図である。図５においては、主として中継装置１０の動作として、緊急情報を受信して中継する過程を説明する。なお、緊急情報は例示のみであり、中継装置は緊急情報に限らず所定の情報を抽出することが可能である。
【００７７】
ステップＳ１３０では、中継装置１０は、デジタル放送２８を受信する。中継装置１１の場合にはデジタル放送２７を受信する。
【００７８】
ステップＳ１４０では、中継装置１０は、受信信号を復号する。これにより、受信した信号から番組等の放送が復号される。復号された放送は、画像、音声、データ放送等を含みうる。
【００７９】
ステップＳ１４５では、中継装置１０は、復号した放送を蓄積する。蓄積する手段としては、コンピュータ読み書き可能な磁気媒体又は不揮発性メモリ等の記憶媒体を用いうる。例えば、中継装置の記憶部２２が用いられる。これにより、中継装置１０は、所定の情報を取り出すために、記憶部２２に蓄積したデータを参照することが可能になる。以下の諸段階においては、蓄積したデータを含む復号した放送から所定の情報が処理されることを示すが、所定の情報を記憶する手段は中継装置１０の記憶部２２に限定せず、いずれかの構成要素にバッファメモリ等を備えて、所定の情報を記憶するために用いてもよい。
【００８０】
ステップＳ１５０では、中継装置１０は、復号した放送が緊急情報等の所定の情報を含むかどうかを判定する。判定の結果が真である場合はステップＳ１６０に進み、偽である場合はステップＳ１３０に戻る。すなわち、中継装置１０は、復号した放送に緊急情報が含まれない状況では、ステップＳ１３０からステップＳ１５０を実施して、信号の受信及び放送の復号を繰り返す。ステップＳ１３０からステップＳ１５０の実施の周期は何でもよく、中継装置１０は一定の時間の間隔でこれらのステップを繰り返してもよく、復号した放送に含まれるデータの量に従ってこれらのステップを繰り返してもよい。
【００８１】
ステップＳ１６０では、中継装置１０は、復号した情報を情報送信部１９に送る。すなわち、緊急情報等が情報送信部１９に送られる。ここで情報を情報送信部１９に送ることは、例えば、記憶部２２を用いて、当該情報を送信待ち行列の一部として記憶することを指す。復号した情報の形態は、予め定義されたコード番号等でもよく、可読性のある文字列等でもよい。復号した情報には、緊急放送等の所定の情報を認証するための認証情報、所定の情報の優先度を表す情報等が含まれてもよい。
【００８２】
ステップＳ１７０では、中継装置１０は、復号した情報に関連するメッセージを、適宜、情報送信部１９に送る。当該関連するメッセージは、復号した情報に含まれる文字列等に適宜可読性を向上するために追加されうる語句等でもよく、復号した情報に含まれるコード番号又は文字列等を取り入れることが可能なテンプレート等でもよい。あるいは、復号した情報がすでにユーザに十分な可読性を有する場合に、中継装置１０はすでに前段のステップＳ１６０において当該復号した情報を情報送信部１９に送信済みであるため、ステップＳ１７０の動作は省略してもよい。
【００８３】
ステップＳ１８０では、中継装置１０は、適宜、付加情報を情報送信部１９に送る。この付加情報は、中継装置１０が復号した情報と中継装置１０の固有の情報とを合成した情報等でもよい。あるいは、ステップＳ１８０の動作は、ステップＳ１７０と同様に省略してもよい。
一実施形態において、本発明に係る中継装置は認証部１８を用いて認証情報を生成し、生成した認証情報を付加情報として情報送信部１９に送ってもよい。
【００８４】
ステップＳ１９０では、中継装置１０は、情報送信部１９の内容をネットワークＩ／Ｆ２０を介してブロードキャストする。これにより、ステップＳ１６０において情報送信部１９に送られた緊急情報等がブロードキャストされ、さらに、ステップＳ１７０において情報送信部１９に送られた緊急情報等に関連するメッセージ又はステップＳ１８０において情報送信部１９に送られた付加情報が適宜ブロードキャストされる。
【００８５】
一実施形態において、中継装置１０は、ステップＳ１６０において情報送信部１９に送られた復号した情報を情報送信部１９からブロードキャストする。ステップＳ１７０及びＳ１８０は省略される。例えば、復号した情報は、緊急情報、認証情報、及び優先度を含む。
別の実施形態において、中継装置１０は、ステップＳ１６０において情報送信部１９に送られた復号した情報に加えて、ステップＳ１７０において情報送信部１９に送られた関連するメッセージを、情報送信部１９からブロードキャストする。
【００８６】
図６は、本発明の一実施形態に係る、中継装置１０又は中継装置１１の動作を表すフロー図の別の例である。図５と同様に、主として中継装置１０の動作として諸段階を説明する。以下の説明においては、位置情報取得部１６、優先度生成部１７及び認証部１８を備えた中継装置１０の動作を説明するが、これら３つの構成要素のいずれか又は全体を省略しても、本発明に係る中継システム１００に含まれる中継装置１０を構成することが可能である。
【００８７】
ステップＳ１１０では、中継装置１０は、適宜、位置情報取得部１６を用いて位置情報を取得する。具体的には、中継装置１０が設置されている地図上の位置情報が取得される。取得される位置情報は、ユーザが適宜テンキーを備えるリモート・コントローラ等を用いて予め郵便番号等の形式で入力したものでもよく、予め位置情報を記憶した媒体等から取得するものでもよい。取得された位置情報は、適宜記憶部２２等を用いて記憶されてもよい。
【００８８】
ステップＳ１２０では、中継装置１０は、認証情報を生成する。具体的には、認証部１８を用いて、ホーム・ネットワーク４０に接続している通信機器等が中継装置１０を認証するための情報が生成される。生成した認証情報は情報送信部１９に送られる。当該認証情報は、中継装置１０から通信機器への一方向の情報通信を認証可能な情報であればよい。例えば、中継装置１０に固有の識別情報を備えて、この識別情報を認証情報として通信機器に送信してもよい。
【００８９】
ステップＳ１３０からステップＳ１７０まで、及びステップＳ１９０の動作は、図５に示した中継装置１０の動作と同様である。
【００９０】
ステップＳ１８５では、図５を用いて示した諸段階と同様に、中継装置１０は、適宜、付加情報を情報送信部１９に送る。
一実施形態において、当該付加情報は前述の認証部１８が生成しうる認証情報を含む。
別の実施形態において、本発明に係る中継装置は優先度生成部１７を用いて優先度を生成し、生成した優先度を付加情報として情報送信部１９に送ってもよい。この優先度は、ステップＳ１５０における判定の結果が真となった所定の情報と、中継装置１０の地図上の位置情報とに基づいて生成されうる。例えば、緊急情報等の所定の情報に場所又は交通機関の路線等の情報が伴い、中継装置１０の地図上の位置情報が当該緊急情報の影響が予想される場所に含まれる場合に、中継装置１０は、優先度生成部１７を用いて高い優先度を表す情報を生成することができる。これと逆に、当該緊急情報の影響が低いか又は無視できる場合には、中継装置１０は、優先度生成部１７を用いて低い優先度を表す情報を生成することができる。従って、図６に示すステップＳ１１０及びステップＳ１８５を実施することにより、中継装置１０は、中継装置１０が設置された場所における緊急情報等の影響の大小に関する情報を用意することが可能になる。
【００９１】
ステップＳ１９０では、中継装置１０は、図５に示した例と同様に、情報送信部１９の内容をネットワークＩ／Ｆ２０を介してブロードキャストする。これにより、ステップＳ１６０において情報送信部１９に送られた緊急情報等がブロードキャストされ、さらに、ステップＳ１７０において情報送信部１９に送られた緊急情報等に関連するメッセージ又はステップＳ１８０において情報送信部１９に送られた付加情報が適宜ブロードキャストされる。
【００９２】
（実施例１：テレビ受信機に中継装置を内蔵する実施例）
図７は、本発明の一実施形態に係る、中継装置１０を内蔵するテレビ受信機を用いて、中継システム１００を構成する例を示す図である。図７に実施形態を示す中継システム１００は、本発明に係る中継装置１０を内蔵するテレビ受信機８０、ブロードバンド・ルータ５０、端末装置７０を含み、アンテナ２９により放送塔２５からのデジタル放送２８を受信する。好適には、端末装置７０は、本発明に係る中継装置１０がブロードキャストの形態で送信する情報を受信可能な所定のプログラムが動作するパーソナル・コンピュータ等である。
【００９３】
このように構成することにより、本発明に係る中継装置１０を内蔵するテレビ受信機８０は、デジタル放送２８に含まれる緊急情報等に応答して、同一のブロードバンド・ルータ５０に接続している端末装置７０に、当該緊急情報を中継して一斉送信することが可能になる。ユーザは、テレビ受信機８０及び端末装置７０が、ブロードバンド・ルータ５０とネットワーク接続するようにケーブル接続等を実施すればよく、それぞれの中継装置１０又は端末装置７０のネットワーク接続のための機器設定や、送信先となる端末装置７０を予め設定しておく手順を行う必要はない、従って、本発明に係る中継装置１０を内蔵するテレビ受信機８０のユーザは、特別な専門知識を必要とせずに、緊急情報等の中継を利用することができる。
【００９４】
また、本発明に係る中継システム１００に含まれる端末装置７０は、緊急情報等を受信するために予め定められた接続手順に基づいた設定をする必要はなく、単にブロードキャストの形態で送信される情報を待機すればよい。従って、端末装置７０は、ストリーム受信等の高負荷状態となる必要はない。
【００９５】
図８は、本発明の一実施形態に係る、中継装置１０を内蔵するテレビ受信機を用いて、中継システム１００を構成する、別の例を示す図である。図８に示す中継システム１００は、本発明に係る中継装置１０を内蔵するテレビ受信機８０、ブロードバンド・ルータ５０、端末装置７０、電力線接続アダプタ２１０、屋内電力配線２００、及び表示部付き電子機器２２０を含む。
【００９６】
前述の図７に示した中継システム１００との相違は、屋内電力配線２００を介するネットワーク接続が追加されることである。表示部付き電子機器２２０は、それぞれ独立して電力線接続アダプタ２１０を接続又は内蔵して、屋内電力配線２００を介して送信された緊急情報等を受信することが可能である。例えば、事務機器又は文房具等の近傍に設置されうる電話機の形態を有する表示部付き電子機器２２０−１は、その表示部を用いて、地震災害等の発生の際に「机の下に避難する」ことを示唆するメッセージを表示してもよい。また例えば、炊事場等に設置されうる調理器具の形態を有する表示部付き電子機器２２０−２は、その表示部を用いて、地震災害等の発生の際に「火の元を確認する」ことを示唆するメッセージを表示してもよい。これらに限定せず、端末装置７０又は表示部付き電子機器２２０が表示する緊急情報又は緊急情報に関連するメッセージ等は任意に設定しうる。
【００９７】
図９は、本発明の一実施形態に係る、中継装置１１を内蔵するテレビ受信機８１を用いて、中継システム１０１を構成する例を示す図である。図９に示す中継システム１０１は、本発明に係る中継装置１１を内蔵するテレビ受信機８１、ブロードバンド・ルータ５０、端末装置７０を含み、インターネット等の広域ネットワーク３０を介して放送局２６からのデジタル放送２７を受信する。
【００９８】
例えば、端末装置７０は、ネットカフェ等に設置されたパーソナル・コンピュータ等でもよい。これらの端末装置７０は、本発明に係る中継装置１１と同一のブロードバンド・ルータ５０に接続して、中継装置１１からブロードキャスト送信された情報を受信できればよく、台数は問わない。
【００９９】
このようにすることで、本発明に係る中継システム１０１においては、個々の端末装置７０を指定する必要なく、デジタル放送２７に含まれる緊急情報に応答して、それぞれの端末装置７０に緊急情報又はこれに関連するメッセージ等を表示することが可能になる。また、端末装置７０の台数は任意に増減することが可能である。従って、端末装置７０の機器変更等においても、緊急情報等の表示するための端末装置７０の指定が不要であることから、メンテナンス・コストの増加を防ぐことができる。
【０１００】
（実施例２：情報を中継する例）
図１０は、本発明の一実施形態に係る、中継装置１０を内蔵するテレビ受信機８０を用いて構成される中継システム１００が、放送波による情報を中継する例を示す図である。中継システム１００の構成要素は、図７に示したものと同一である。なお、以下の実施例においては地震が発生したことの情報を中継する例を示すが、これに限定せず、例えば、ユーザの居所の近郊で発生した交通渋滞又は他の自然災害の情報等が、デジタルテレビ放送又はデータ放送等として放送され、本発明に係る中継装置１０がこれを受信して端末装置等に中継する状況等においても、本発明に係る中継装置１０を含む中継システム１００は同様に動作することが可能である。
【０１０１】
図１０は、本発明に係る中継装置１０を内蔵したテレビ受信機８０が、アンテナ２９により放送塔２５からのデジタル放送２８を受信する状況を示している。さらに、デジタル放送２８には地震発生という情報３１０が含まれる。本発明に係る中継装置１０は、このような情報３１０を受信することに応答して、地震発生という情報３２０をブロードキャストの形態で送信する。すなわち、情報３２０はブロードバンド・ルータ５０に対して送信され、ブロードバンド・ルータ５０を介して接続している全ての端末装置７０に対して、情報３２０が一斉送信される。従って、全ての端末装置７０において、この情報３２０が受信されうる。
【０１０２】
端末装置７０においては、一斉送信された情報３２０を待ち受けるコンピュータ・プログラムを起動しておくことにより、当該情報３２０の受信に応答して、それぞれの端末装置７０−１及び７０−２が備える表示部に「地震です」等の情報３３０−１及び３３０−２が表示されうる。好適なコンピュータ・プログラムは、パーソナル・コンピュータのオペレーティング・システムの起動と連動してメモリに常駐する、ガジェットの形態で提供されるプログラム（例えば、公知の「ＮＨＫガジェット」と呼称されるプログラム）である。このようなガジェットとして、情報３２０を待ち受けるプログラムが動作することにより、端末装置７０は所定の情報の受信を待ち受けることが可能である。
【０１０３】
このようにして、本発明の一実施形態に係る中継装置１０を内蔵するテレビ受信機８０を用いて構成される中継システム１００により、デジタル放送２８に含まれる情報３１０を中継して、端末装置７０に表示することが可能になる。
【０１０４】
図１１は、本発明の一実施形態に係る、中継装置１０を内蔵するテレビ受信機８０を用いて構成される中継システム１００が、放送波による情報を中継する別の例を示す図である。中継システム１００の構成要素は、図７に示したものと同一である。
【０１０５】
図１１においては、本発明の一実施形態に係る中継装置１０を内蔵するテレビ受信機８０は、前述の図１０に示した例と同様の情報３１０を受信することに応答して、「地震が発生しました」というメッセージ３２１をブロードキャストの形態で送信する。すなわち、中継装置１０は、受信した情報３１０に含まれる語句を用いて、メッセージ３２１を生成してブロードキャストの形態で送信することが可能である。生成されるメッセージ３２１の形態はこれに限らず、情報３１０を受信した時点のタイムスタンプ等、他の情報を伴ってもよい。メッセージ３２１は、前述のようにブロードバンド・ルータ５０を介して全ての端末装置７０に一斉送信される。
【０１０６】
端末装置７０においては、図１０に示した例と同様に、メッセージ３２１の受信に応答して、それぞれの端末装置７０−１及び７０−２が備える表示部にメッセージ３３２−１及び３３２−２を表示することが可能である。
【０１０７】
このようにして、本発明の一実施形態に係る中継装置１０を内蔵するテレビ受信機８０を用いて構成される中継システム１００は、デジタル放送２８に含まれる情報３１０に基づいてメッセージ３２１を生成し、生成したメッセージを端末装置７０に表示することが可能になる。
【０１０８】
図１２は、本発明の一実施形態に係る中継システム１００が、認証情報を伴う緊急情報を含む放送波を受信して中継する例を示す図である。中継システム１００の構成要素は、図７に示したものと同一である。
【０１０９】
図１２においては、本発明の一実施形態に係る中継装置１０を内蔵するテレビ受信機８０は、緊急情報及び認証情報を含む情報３１２を受信することに応答して、当該緊急情報及び認証情報を含む情報３２２をブロードキャストの形態で送信する。情報３２２は、前述のようにブロードバンド・ルータ５０を介して全ての端末装置７０に一斉送信される。端末装置７０においては、図１０に示した例と同様に、一斉送信された情報３２２を受信する。すなわち、認証情報を伴う緊急情報が受信される。
【０１１０】
このようにして、本発明の一実施形態に係る中継装置１０を内蔵するテレビ受信機８０を用いて構成される中継システム１００は、デジタル放送２８に含まれる緊急情報及び認証情報を含む情報３１２を中継し、同一のローカル・エリア・ネットワーク内にブロードキャストすることが可能である。
【０１１１】
図１３は、本発明の一実施形態に係る中継システム１００が、認証情報及び優先度を伴う緊急情報を含む放送波を受信して中継する例を示す図である。中継システム１００の構成要素は、図７に示したものと同一である。
【０１１２】
図１３においては、本発明の一実施形態に係る中継装置１０を内蔵するテレビ受信機８０は、緊急情報、認証情報及び優先度を含む情報３１３を受信することに応答して、当該緊急情報、認証情報及び優先度を含む情報３２３をブロードキャストの形態で送信する。情報３２３は、前述のようにブロードバンド・ルータ５０を介して全ての端末装置７０に一斉送信される。端末装置７０においては、図１０に示した例と同様に、一斉送信された情報３２３を受信する。すなわち、認証情報及び優先度を伴う緊急情報が受信される。端末装置７０においては、適宜、優先度を用いて当該情報３２３を表示しうる。例えば、優先度の高い情報３２３を受信した場合に、ユーザの注意を喚起するために、目立つ配色、注意喚起のための追加表示又は装飾等を併用して当該情報３２３を表示してもよい。
【０１１３】
このようにして、本発明の一実施形態に係る中継装置１０を内蔵するテレビ受信機８０を用いて構成される中継システム１００は、デジタル放送２８に含まれる緊急情報、認証情報及び優先度を含む情報３１３を中継し、同一のローカル・エリア・ネットワーク内にブロードキャストすることが可能である。
【０１１４】
（実施例３：位置情報を利用する例）
図１４は、本発明の一実施形態に係る、中継装置１０を内蔵するテレビ受信機を用いて構成される中継システム１００が、位置情報を伴って放送波による情報を中継する例を示す図である。中継システム１００の構成要素は、図７に示したものと同一である。
【０１１５】
図１４においては、本発明の一実施形態に係る中継装置１０を内蔵するテレビ受信機８０は、震源地の場所を表す情報３１４を受信することに応答して、当該情報３１４を、中継装置１０が設置される場所の位置情報と共に、情報３２４としてブロードキャストの形態で送信する。すなわち、情報３２４は、震源地の場所を表す情報３１４及び中継装置１０が設置される場所の位置情報を含む。情報３２４は、前述のようにブロードバンド・ルータ５０を介して全ての端末装置７０に一斉送信される。
【０１１６】
端末装置７０においては、一斉送信された情報３２４を待ち受けるコンピュータ・プログラムを起動しておくことにより、当該情報３２４の受信に応答して、それぞれの端末装置７０−１及び７０−２が備える表示部に、震源地の場所を表す情報３１２に基づく表示及び中継装置１０が設置される場所の位置情報に基づく表示が実施されうる。例えば、端末装置７０−１及び７０−２が備える表示部に、震源地と中継装置１０との地図上の場所を表す平面図等が表示されうる。
【０１１７】
このようにして、本発明の一実施形態に係る中継装置１０を内蔵するテレビ受信機８０を用いて構成される中継システム１００は、デジタル放送２８に含まれる震源地の情報３１２及び中継装置１０が設置される場所の位置情報を含む情報３２４を生成し、端末装置７０に一斉送信することが可能になる。
【０１１８】
図１４に示した実施例においては、デジタル放送２８が衛星放送を含む全国放送等の広域サービスであっても、本発明に係る中継装置１０が位置情報取得部１６を用いて取得した中継装置１０の設置場所を表す地図上の位置情報を用いることにより、当該設置場所との関連性を有する情報を利用することができる。従って、本発明に係る中継装置１０のユーザは、中継装置１０が設置された場所と関連する情報を利用することが可能になる。
【０１１９】
図１５は、本発明の一実施形態に係る、中継装置１０を内蔵するテレビ受信機を用いて構成される中継システム１００が、位置情報及び優先度を伴って放送波による情報を中継する例を示す図である。
【０１２０】
（実施例４：優先度を利用する例）
図１５においては、本発明の一実施形態に係る中継装置１０を内蔵するテレビ受信機８０は、前述の図１４を用いて示した例と同様に、震源地の場所を表す情報３１４を受信することに応答して、当該情報３１４、中継装置１０が設置される場所の位置情報、並びに震源地と中継装置の場所との距離に基づいて生成される優先度の情報を、情報３２５としてブロードキャストの形態で送信する。情報３２５は、前述のようにブロードバンド・ルータ５０を介して全ての端末装置７０に一斉送信される。
【０１２１】
一実施形態において、生成される優先度の情報は、震源地と中継装置の場所との距離等の、放送された情報が表す場所と中継装置１０が設置される場所の位置情報との距離に基づいて、当該距離が短いほど高い優先度となるように、当該距離が長いほど低い優先度となるように、定義されうる。この定義は、距離を変数とする任意の関数の形態でもよい。また、優先度の生成に用いる変数は距離に限定せず、例えば地震の震度のような距離以外の変数を追加して含んでもよい。
【０１２２】
端末装置７０においては、一斉送信された情報３２５を待ち受け、受信した優先度に従って所定のメッセージを選択するコンピュータ・プログラムを起動しておくことにより、当該情報３２５の受信に応答して、それぞれの端末装置７０−１及び７０−２が備える表示部に、優先度に基づく付加情報３３６が追加されて表示される。すなわち、前述の情報３３０−１及び３３０−２、メッセージ３２１−１及び３２２−２、又は震源地と中継装置１０との地図上の場所を表す平面図等に加えて、優先度に基づく付加情報３３６が表示されうる。優先度に基づく付加情報３３６は、例えば、端末装置７０−２の設置場所がユーザの書斎等である場合に、高い優先度が生成された場合には、ユーザが机の下に避難することを示唆するメッセージ、又は身の回りの落下物に注意することを示唆するメッセージ等を表示してもよい。また、例えば、前述とは逆に低い優先度が生成された場合には、ユーザの行動を示唆するメッセージを空白としてもよい。これらに限定せず、本発明に係る中継装置１０が生成する優先度は、端末装置７０が表示するメッセージ３２１を適宜選択するために用いることが可能である。
【０１２３】
このようにして、本発明の一実施形態に係る中継装置１０を内蔵するテレビ受信機８０を用いて構成される中継システム１００は、デジタル放送２８に含まれる震源地の情報３１４、中継装置１０が設置される場所の位置情報、及び震源地と中継装置の場所との距離に基づいて生成される優先度の情報を含む情報３２５を生成し、端末装置７０に一斉送信することが可能になる。
【０１２４】
図１５に示した実施例においては、デジタル放送２８が衛星放送を含む全国放送等の広域サービスであっても、本発明に係る中継装置１０が位置情報取得部１６を用いて取得した中継装置１０の設置場所を表す地図上の位置情報、及び優先度生成部１７が生成した優先度を用いることにより、当該設置場所との関連性を有する情報を優先度と組み合わせて利用することができる。従って、本発明に係る中継装置１０のユーザは、中継装置１０が設置された場所と関連する情報を、当該情報の優先度と共に利用することが可能になる。
【０１２５】
図１６は、本発明の一実施形態に係る、中継装置１０を内蔵するテレビ受信機を用いて構成される中継システム１００が、位置情報及び優先度を伴って放送波による情報を中継する別の例を示す図である。
【０１２６】
図１６においては、本発明の一実施形態に係る中継装置１０を内蔵するテレビ受信機８０は、震源地の場所を表す情報３１４を受信することに応答して、当該情報３１４、中継装置１０が設置される場所の位置情報、並びに震源地と中継装置の位置との距離に基づいて生成される優先度の情報を、情報３２８としてブロードキャストの形態で送信する。情報３２８は、前述のようにブロードバンド・ルータ５０を介して全ての端末装置７０に一斉送信される。図１６の例においては、ブロードバンド・ルータ５０は電力線接続アダプタ２１０と接続し、屋内電力配線２００を含むネットワークとも接続することが可能である。従って、情報３２８は屋内電力配線２００を介して一斉送信される。このようにして、中継装置１０から一斉送信された情報３２８は、ブロードバンド・ルータ５０に接続している端末装置７０、及び屋内電力配線２００を介してネットワーク接続している情報家電品２３０により受信される。
【０１２７】
端末装置７０における情報３２８の受信は、前述の図１５を用いて示した実施例と同様である。例えば、端末装置７０は、書斎に設置されている場合に、震源地及び中継装置１０の設置場所を含む地図、及び優先度に従って、机の下への避難等のユーザの行動を示唆するメッセージを表示することが可能である。
【０１２８】
情報家電品２３０においては、一斉送信された情報３２８を待ち受け、受信した優先度に従って所定のメッセージを選択するプログラムを起動しておくことにより、当該情報３２８の受信に応答して、情報家電品２３０が備える表示部に、優先度に基づく付加情報３３８が表示される。例えば、情報家電品２３０の設置場所が炊事場等である場合に、地震の情報と共に高い優先度を受信した場合には、ユーザが落ち着いて火の元を確認することを示唆するメッセージ等を表示してもよい。
【０１２９】
このようにして、本発明の一実施形態に係る中継装置１０を内蔵するテレビ受信機８０を用いて構成される中継システム１００は、デジタル放送２８に含まれる震源地の情報３１２、中継装置１０が設置される場所の位置情報、及び震源地と中継装置の場所との距離に基づいて生成される優先度の情報を含む情報３２６を生成し、端末装置７０及び情報家電品２３０等に一斉送信することが可能になる。
【０１３０】
以上、本発明を実施形態に則して説明したが、本発明は上述した実施形態に限るものではない。例えば、本発明に係る中継装置１０又は中継装置１１は、単体のセットトップボックスの形態で提供されてもよく、デジタルテレビチューナ等を備える複合機器等に内蔵されてもよく、デジタル放送等を受信可能なパソコン部品の形態で提供されてもよい。また、本発明の実施形態に記載された効果は、本発明から生じる最も好適な効果を列挙したに過ぎず、本発明による効果は、本発明の実施形態又は実施例に記載されたものに限定されるものではない。
【符号の説明】
【０１３１】
１０、１１  中継装置
１２  受信部
１３  復号部
１４  情報抽出部
１５  メッセージ生成部
１６  位置情報取得部
１７  優先度生成部
１８  認証部
１９  情報送信部
２０  ネットワークＩ／Ｆ
２１  画像音声Ｉ／Ｆ
２２  記憶部
２４  制御部
２５  放送塔
２６  放送局
２７、２８  デジタル放送
２９  アンテナ
３０  広域ネットワーク
４０  ホーム・ネットワーク
５０  ブロードバンド・ルータ
６０  ＰＣ
７０  端末装置
８０、８１  テレビ受信機
１００、１０１  中継システム
２００  屋内電力配線
２１０  電力線接続アダプタ
２２０  表示部付き電子機器
２３０  情報家電品
３１０、３１２、３１３、３１４、３２０、３２１、３２２、３２３、３２４、３２５、３２８  情報
３２２、３３２、３３６、３３８  メッセージ
【図１】
2010171896.tif 000003
【図２】
2010171896.tif 000004
【図３】
2010171896.tif 000005
【図４】
2010171896.tif 000006
【図５】
2010171896.tif 000007
【図６】
2010171896.tif 000008
【図７】
2010171896.tif 000009
【図８】
2010171896.tif 000010
【図９】
2010171896.tif 000011
【図１０】
2010171896.tif 000012
【図１１】
2010171896.tif 000013
【図１２】
2010171896.tif 000014
【図１３】
2010171896.tif 000015
【図１４】
2010171896.tif 000016
【図１５】
2010171896.tif 000017
【図１６】
2010171896.tif 000018